(57)【要約】【課題】サーバ装置・クライアント端末間のデータの通信量を減少させる。【解決手段】クライアント端末から撮影装置で撮影した画像データを、ネットワークを介してサーバ装置に伝送すると、サーバ装置は、自身の表示するデスクトップ画面の中で変更された領域を更新領域として検出し、前記撮影装置からの画像データと同一又は類似した画像データの領域のパターンを認識し、前記クライアント端末に前記更新領域検出手段によって検出された更新領域の画像データを伝送し、前記認識手段によって認識されたパターンを含む領域は非更新領域とみなし該領域が非更新領域であることを示す情報をクライアント端末に伝送する。【選択図】図１
2012074999.tif 000002
【特許請求の範囲】
【請求項１】
ネットワークに接続されたサーバ装置と、
撮影装置を有し、前記サーバ装置を、前記ネットワークを介して遠隔操作するクライアント端末と、
を備え、前記サーバ装置と前記クライアント端末との間で画像データを伝送する画像データ伝送システムにおいて、
前記クライアント端末は、前記撮影装置で撮影した画像データを、前記ネットワークを介して前記サーバ装置に伝送する手段を有し、
前記サーバ装置は、自身の表示するデスクトップ画面の中で変更された領域を更新領域として検出する更新領域検出手段と、
自身のデスクトップ画面の中から前記撮影装置からの画像データと同一又は類似した画像データのパターンを認識する認識手段と、
前記クライアント端末に前記更新領域検出手段によって検出された更新領域の画像データを伝送する第１の伝送手段と、
前記認識手段によって認識されたパターンを含む領域は非更新領域とみなし、該領域が非更新領域であることを示す情報をクライアント端末に伝送する第２の伝送手段と、
を有することを特徴とする画像データ伝送システム。
【請求項２】
前記クライアント端末は、前記サーバ装置からの更新領域の画像データを受信して自身が表示する手段と、
非更新領域であることを示す情報を受信した場合に、非更新領域であることを示す情報に基づいて前記撮影装置で撮影した画像データを自身が表示する画像に合成する手段と、
を有することを特徴とする請求項１記載の画像データ伝送システム。
【請求項３】
ネットワークに接続されたサーバ装置と、撮影装置を有し、前記サーバ装置を、前記ネットワークを介して遠隔操作するクライアント端末と、を備え、前記サーバ装置と前記クライアント端末との間で画像データを伝送する画像データ伝送システムに用いられるサーバ装置において、
前記サーバ装置は、自身の表示するデスクトップ画面の中で変更された領域を更新領域として検出する更新領域検出手段と、
自身のデスクトップ画面の中から前記撮影装置からの画像データと同一または類似した画像データのパターンを認識する認識手段と、
前記クライアント端末に前記更新領域検出手段によって検出された更新領域の画像データを伝送する第１の伝送手段と、
前記認識手段によって認識されたパターンを含む領域は非更新領域とみなし、該領域が非更新領域であることを示す情報をクライアント端末に伝送する第２の伝送手段と、
を有することを特徴とするサーバ装置。
【請求項４】
ネットワークに接続されたサーバ装置と、撮影装置を有し、前記サーバ装置を、前記ネットワークを介して遠隔操作するクライアント端末と、を備え、前記サーバ装置と前記クライアント端末との間で画像データを伝送する画像データ伝送システムに用いられるクライアント端末において、
前記クライアント端末は、
前記サーバ装置からの更新領域の映像を受信する手段と、
非更新領域であることを示す情報を受信した場合に、非更新領域であることを示す情報に基づいて前記撮影装置で撮影した画像データを合成する手段と、
を有することを特徴とするクライアント端末。
【請求項５】
前記クライアント端末は、前記サーバ装置から送信された座標・サイズのデータを受け取る手段と、
前記サーバ装置のデスクトップ画面の中から前記撮影装置からの画像データと同一または類似した画像データの領域のパターンは非更新領域とみなし、前記座標・サイズのデータに基づいて前記撮影装置からの画像データをはめ込み合成して新たなデスクトップ画面として表示する表示手段と、
を有することを特徴とする請求項４記載のクライアント端末。
【請求項６】
ネットワークに接続されたサーバ装置と、撮影装置を有し、前記サーバ装置を、前記ネットワークを介して遠隔操作するクライアント端末との間で画像データを伝送する画像データ伝送方法において、
前記クライアント端末から前記撮影装置で撮影した画像データを、前記ネットワークを介して前記サーバ装置に伝送すると、前記サーバ装置は、自身の表示するデスクトップ画面の中で変更された領域を更新領域として検出し、前記撮影装置からの画像データと同一又は類似した画像データの領域のパターンを認識し、前記クライアント端末に前記更新領域検出手段によって検出された更新領域の画像データを伝送し、前記認識手段によって認識されたパターンを含む領域は非更新領域とみなし該領域が非更新領域であることを示す情報をクライアント端末に伝送することを特徴とする画像データ伝送方法。
【請求項７】
ネットワークに接続されたサーバ装置と、撮影装置を有し、前記サーバ装置を、前記ネットワークを介して遠隔操作するクライアント端末と、を備え、前記サーバ装置と前記クライアント端末との間で画像データを伝送する画像データ伝送システムに用いられるサーバ装置に、
更新領域検出手段が、サーバ装置自身の表示するデスクトップ画面の中で変更された領域を更新領域として検出する手順、
認識手段が、サーバ装置自身のデスクトップ画面の中から前記撮影装置からの画像データと同一または類似した画像データのパターンを認識する手順、
第１の伝送手段が、前記クライアント端末に前記更新領域検出手段によって検出された更新領域の画像データを伝送する手順、
第２の伝送手段が、前記認識手段によって認識されたパターンを含む領域は非更新領域とみなし、該領域が非更新領域であることを示す情報をクライアント端末に伝送する手順、
を実行させることを特徴とするサーバ装置の制御プログラム。
【発明の詳細な説明】
【技術分野】
【０００１】
本発明は、画像データ伝送システム、サーバ装置、クライアント端末、画像データ伝送方法、及び制御プログラムに関する。
【背景技術】
【０００２】
複数のアプリケーションプログラム（以下、アプリと呼ぶ）がインストールされているＰＣ(Personal Computer)をサーバ装置として、クライアント端末側でサーバ装置で表示されている画面を見ながら遠隔操作するシンクライアントシステムが一般的である。
【０００３】
遠隔操作の方式としては、サーバ装置側で表示する画面の更新領域（変化分）を送信する方式が一般的に知られている。
クライアント端末において、キーボード入力やマウス入力といった入力が行われると、その操作情報がサーバ装置にネットワークを介して送信される。サーバ装置では、当該装置情報に基づいて、処理が行われ、サーバ装置が表示する画面に変化が発生すれば、その変化分を更新領域としてクライアント端末に送信して、クライアント端末を表示するという仕組みである。
【０００４】
図３（ａ）は、通常の画像データ伝送システムにおけるサーバ装置のデスクトップ画面を示し、図３（ｂ）は、通常の画像データ伝送システムのブロック図である。
デスクトップ画面とは、サーバ装置の表示部に表示される全体画面である。
サーバ装置１のカメラ４は、クライアント端末３に接続されており、カメラ４で撮影された画像データを送る（クライアント端末３で一旦入力として受信し、それをサーバ装置１にネットワークを経由して送ることができるようになっている。）。
サーバ装置１には、ビデオフォンアプリケーション（例えば、テレビ電話アプリケーション、ビデオフォンアプリケーション等に相当する。通信回線を介して、映像と音声とで遠隔地にいるユーザがコミュニケーションを交わすことの出来るアプリケーションである。以下、ビデオフォンアプリと呼ぶ）やカメラの画像データを配信・放送するようなアプリがインストールされている。
上述の構成において、サーバ装置１でビデオフォンアプリを起動すると、デスクトップ画面に当該ビデオフォンアプリの画面が表示される。
クライアント端末３が、ネットワークを介して、サーバ装置１に接続すると、クライアント端末３からビデオフォンアプリを遠隔操作することができるようになる。
【０００５】
この種の技術に関連する技術が特許文献１に開示されている。
特許文献１に記載の発明は、サーバ装置の表示画面を分割して、画面の更新があった領域を送信するものである。「画面データ送信端末」に関するものであり、具体的には「送信先の端末で表示画面を再生させるために画面データを送信する画面データ送信端末であって、画面を表示する送信側画面表示部と、前記表示された画面のデータを表示領域ごとの画面データに分割し、圧縮して、圧縮画面データを生成する圧縮画面データ生成部と、前記圧縮画面データを送信する送信側通信部と、前記表示領域ごとに、前記圧縮画面データを利用して前記表示された画面の更新の有無を判定し、更新があると判定された前記表示領域の圧縮画面データの送信を決定する送信画面データ決定部と、を備える」ものである。
【先行技術文献】
【特許文献】
【０００６】
【特許文献１】特開２００９−２６７７３４号公報
【発明の概要】
【発明が解決しようとする課題】
【０００７】
ところで、ビデオフォンアプリを遠隔操作するためには、クライアント端末側に接続されているカメラで撮影された（カメラから入力された）画像データを、例えば、ビデオフォンによる対話をする相手には送信するのが一般的である。対話をしているユーザはクライアント端末を操作しており、サーバ装置の周囲にはユーザがいないと考えられるからである。
つまり、サーバ装置が、別のＰＣとビデオフォンアプリを使用して通信したり、ネットワーク経由でカメラの画像データを放送したりする場合に、クライアント端末に取り付けられたカメラで撮影した画像データは、サーバ装置に送信され、サーバ装置のアプリを使用して、ネットワークを介してビデオフォン通信、放送（配信）されるようにすると好適である。
【０００８】
図４（ａ）は、クライアント端末側に接続されているカメラで撮影した画像を表示した画面であり、図４（ｂ）は、サーバ装置からクライアント端末に送信されるデスクトップを表示した画面である。クライアント端末に接続されているカメラで撮影した画像と、同じ画像が含まれている。
サーバ装置のビデオフォンアプリには、プレビュー用にクライアント端末のカメラの画像データが表示されるようになっている。
すると、クライアント端末側には、サーバ装置のデスクトップの画像データが送信されるが、その画面には、クライアント端末からサーバ装置に送信したカメラの画像と同一の画像が含まれているため、クライアント端末・サーバ装置間の回線効率が低下してしまう。
【０００９】
そこで、本発明の目的は、サーバ装置・クライアント端末間の画像データの通信量を減少させた画像データ伝送システム、サーバ装置、クライアント端末、画像データ伝送方法、及び制御プログラムを提供することにある。
【課題を解決するための手段】
【００１０】
上記課題を解決するため、請求項１に記載の発明は、ネットワークに接続されたサーバ装置と、撮影装置を有し、前記サーバ装置を、前記ネットワークを介して遠隔操作するクライアント端末と、を備え、前記サーバ装置と前記クライアント端末との間で画像データを伝送する画像データ伝送システムにおいて、前記クライアント端末は、前記撮影装置で撮影した画像データを、前記ネットワークを介して前記サーバ装置に伝送する手段を有し、前記サーバ装置は、自身の表示するデスクトップ画面の中で変更された領域を更新領域として検出する更新領域検出手段と、自身のデスクトップ画面の中から前記撮影装置からの画像データと同一又は類似した画像データのパターンを認識する認識手段と、前記クライアント端末に前記更新領域検出手段によって検出された更新領域の画像データを伝送する第１の伝送手段と、前記認識手段によって認識されたパターンを含む領域は非更新領域とみなし、該領域が非更新領域であることを示す情報をクライアント端末に伝送する第２の伝送手段と、を有することを特徴とする。
【００１１】
請求項２記載の発明は、請求項１記載の発明において、前記クライアント端末は、前記サーバ装置からの更新領域の画像データを受信して自身が表示する手段と、非更新領域であることを示す情報を受信した場合に、非更新領域であることを示す情報に基づいて前記撮影装置で撮影した画像データを自身が表示する画像に合成する手段と、を有することを特徴とする。
【００１２】
請求項３記載の発明は、ネットワークに接続されたサーバ装置と、撮影装置を有し、前記サーバ装置を、前記ネットワークを介して遠隔操作するクライアント端末と、を備え、前記サーバ装置と前記クライアント端末との間で画像データを伝送する画像データ伝送システムに用いられるサーバ装置において、前記サーバ装置は、自身の表示するデスクトップ画面の中で変更された領域を更新領域として検出する更新領域検出手段と、自身のデスクトップ画面の中から前記撮影装置からの画像データと同一または類似した画像データのパターンを認識する認識手段と、前記クライアント端末に前記更新領域検出手段によって検出された更新領域の画像データを伝送する第１の伝送手段と、前記認識手段によって認識されたパターンを含む領域は非更新領域とみなし、該領域が非更新領域であることを示す情報をクライアント端末に伝送する第２の伝送手段と、を有することを特徴とする。
【００１３】
請求項４記載の発明は、ネットワークに接続されたサーバ装置と、撮影装置を有し、前記サーバ装置を、前記ネットワークを介して遠隔操作するクライアント端末と、を備え、前記サーバ装置と前記クライアント端末との間で画像データを伝送する画像データ伝送システムに用いられるクライアント端末において、前記クライアント端末は、前記サーバ装置からの更新領域の映像を受信する手段と、非更新領域であることを示す情報を受信した場合に、非更新領域であることを示す情報に基づいて前記撮影装置で撮影した画像データを合成する手段と、を有することを特徴とする。
【００１４】
請求項５記載の発明は、請求項４記載の発明において、前記クライアント端末は、前記サーバ装置から送信された座標・サイズのデータを受け取る手段と、前記サーバ装置のデスクトップ画面の中から前記撮影装置からの画像データと同一または類似した画像データの領域のパターンは非更新領域とみなし、前記座標・サイズのデータに基づいて前記撮影装置からの画像データをはめ込み合成して新たなデスクトップ画面として表示する表示手段と、を有することを特徴とする。
【００１５】
請求項６記載の発明は、ネットワークに接続されたサーバ装置と、撮影装置を有し、前記サーバ装置を、前記ネットワークを介して遠隔操作するクライアント端末との間で画像データを伝送する画像データ伝送方法において、前記クライアント端末から前記撮影装置で撮影した画像データを、前記ネットワークを介して前記サーバ装置に伝送すると、前記サーバ装置は、自身の表示するデスクトップ画面の中で変更された領域を更新領域として検出し、前記撮影装置からの画像データと同一又は類似した画像データの領域のパターンを認識し、前記クライアント端末に前記更新領域検出手段によって検出された更新領域の画像データを伝送し、前記認識手段によって認識されたパターンを含む領域は非更新領域とみなし該領域が非更新領域であることを示す情報をクライアント端末に伝送することを特徴とする。
【００１６】
請求項７記載の発明は、ネットワークに接続されたサーバ装置と、撮影装置を有し、前記サーバ装置を、前記ネットワークを介して遠隔操作するクライアント端末と、を備え、前記サーバ装置と前記クライアント端末との間で画像データを伝送する画像データ伝送システムに用いられるサーバ装置に、更新領域検出手段が、サーバ装置自身の表示するデスクトップ画面の中で変更された領域を更新領域として検出する手順、認識手段が、サーバ装置自身のデスクトップ画面の中から前記撮影装置からの画像データと同一または類似した画像データのパターンを認識する手順、第１の伝送手段が、前記クライアント端末に前記更新領域検出手段によって検出された更新領域の画像データを伝送する手順、第２の伝送手段が、前記認識手段によって認識されたパターンを含む領域は非更新領域とみなし、該領域が非更新領域であることを示す情報をクライアント端末に伝送する手順、を実行させることを特徴とする。
【発明の効果】
【００１７】
本発明によれば、サーバ装置・クライアント端末間の画像データの通信量を減少させた画像データ伝送システム、サーバ装置、クライアント端末、画像データ伝送方法、及び制御プログラムの提供を実現することができる。
【図面の簡単な説明】
【００１８】
【図１】本発明に係る画像データ伝送システムの一実施の形態を示す概念図である。
【図２】（ａ）は、図１に示した画像データ伝送システムに用いられるサーバ装置の動作を示すフローチャートの一例であり、（ｂ）は、図１に示した画像データ伝送システムに用いられるクライアント端末の動作を示すフローチャートの一例である。
【図３】（ａ）は、通常の画像データ伝送システムにおけるサーバ装置のデスクトップ画面を示し、（ｂ）は、通常の画像データ伝送システムのブロック図である。
【図４】（ａ）は、クライアント端末側のカメラで撮影した画面であり、（ｂ）は、サーバ装置から送信されるデスクトップの画面である。
【発明を実施するための形態】
【００１９】
次に本発明の実施の形態について図面を参照して説明する。
図１は、本発明に係る画像データ伝送システムの一実施の形態を示す概念図である。
＜構  成＞
図１において、サーバ装置１１とクライアント端末１３とがネットワーク１２で接続され、サーバ装置１１には別ＰＣ等(ＡＰ(アプリ)の通信先、放送先等)１６が接続され、クライアント端末１３にはカメラ１７が接続されている。
クライアント端末１３での入力(マウス、キーボード、カメラ１７で撮影された画像データは、ネットワークを介して送信すると、サーバ装置１１に送信される。
サーバ装置１１は、送信されてきた入力情報に基づいて、処理を実行する。その実行された処理に基づいて表示するデスクトップ画面が変化する場合、サーバ装置１１の更新領域検出手段が、デスクトップ画面上の変化分の領域を検出して、検出された更新領域の画像をクライアント端末１３に送信する。
なお、言うまでもないが、サーバ装置１１からクライアント端末１３に送信される第１フレーム目の画像は、全デスクトップ画面をそのまま送ることになる。
一方、被写体１８を撮影したカメラ１７が撮影した画像データは、クライアント端末１３に送られる。
さらに、画像データとしての入力情報は、上述したとおり、クライアント端末１３からネットワーク１２を介してサーバ装置１１にも送信される。
図中、ＡＰはビデオフォンアプリを意味する。
【００２０】
サーバ装置１１は画像照合手段１４を有しており、カメラ１７から送られてきた画像データに基づくカメラ映像１４ｂと、サーバ装置１１のデスクトップ画面とを比較し、カメラ映像１４ｂと同一又は類似したパターン領域が有るか否かを判断すると共に、カメラ映像１４ｂと同一又は類似した画像（映像とも言う）１４ａが有る場合には座標・サイズを示す情報を取得する機能を有する。
カメラ映像１４ｂと同一又は類似の画像の検出は、既存のパターンマッチング技術を使用することで実現できる。
更新領域検出手段は、上述で検出した更新領域をクライアント端末１３に送信する。しかし、画像照合手段１４によって、検出されたデスクトップ画面中のカメラ映像１４ｂと同一又は類似と判断されたパターン領域は、更新領域としないようにする。すなわち、クライアント端末１３へはサーバ装置１１のデスクトップ画面からカメラ映像１４ｂと同一又は類似するとして検出されたパターン領域に、カメラ映像１４ａを更新領域として検出されないような画像データを表示する（例えば、更新領域として検出されないように、カメラ映像１４ａの位置に変化のない黒画面１４ｃを当該パターン領域に表示する画像データ）。従って、当該パターン領域は、更新領域検出手段によって検出されずに、２フレーム目からは送信されることになる。
尚、本実施形態は、黒画面に限定するものではなく、画像に更新領域（変化）が発生しない画像であれば良い。
例えば、他の色の画像であってもいいし、動きがない静止画の画像であっても良い。
【００２１】
クライアント端末１３の画像表示手段１５は、サーバ装置１１から更新領域の画像データ及びカメラ映像１４ｂと同一または類似するとして検出されたパターン領域の座標・サイズを示す情報を受信すると、該当するパターン領域の位置にカメラ１７で被写体１８を撮影したカメラ映像１５ｂをはめ込み合成したデスクトップ画面を表示する。すなわち、クライアント端末１３のデスクトップ画面は、サーバ装置１１のデスクトップ画面のカメラ映像１４ａと同じカメラ映像１５ａを有するデスクトップ画面となる。
このとき、例えば、画像照合手段１４が検出したパターンの領域に、サーバ装置１１のデスクトップ画面と黒画面とを表示させるように、サーバ装置１１とクライアント端末１３との間で予め決定していた場合、クライアント端末１３において所定の面積以上の黒画面の領域を検出して、その領域にカメラ映像１５ｂをはめ込み合成するようにしてもよい。
また、クライアント端末１３は、サーバ装置１１からの画像データが更新されたか否かを判断することはなく、更新領域の画像データを受け取るだけである。該当箇所は、例えば、座標情報を予めサーバ装置１１から取得するか、第１枚目のフレームだけはデスクトップ画面をそのまま受信するので、その第１枚目のフレームと２枚目以降のフレームカメラ映像１４ｂとを比較して所定の面積以上の一致するパターン（非更新の領域）を検出するようにしてもよい。
【００２２】
つまり、サーバ装置１１からクライアント端末１３に送信する画像データは、カメラ１７で撮影したカメラ映像１４ｂと同一又は類似した画像データを更新領域としない画像データであり、クライアント端末１３では画像データからカメラ１７で撮影したカメラ映像１４ｂをはめ込み合成して表示するのである（カメラ１７で撮影したカメラ映像の画像データを往復させないことになる。）。このため、圧縮されていない画像データが表示できるので、より品質の良い通信ができる。
【００２３】
＜動  作＞
次に図１に示した画像データ伝送システムの動作について説明する。
図２（ａ）は、図１に示した画像データ伝送システムに用いられるサーバ装置の動作を示すフローチャートの一例であり、図２（ｂ）は、図１に示した画像データ伝送システムに用いられるクライアント端末の動作を示すフローチャートの一例である。
サーバ装置１１は、クライアント端末１３からの情報を受信する（ステップＳ１）。
サーバ装置１１は、カメラ映像とデスクトップ画面とを比較（画面照合）する（ステップＳ２）。
サーバ装置１１は、カメラ映像１４ｂと同一又は類似したパターンがあるか否かを判断し（ステップＳ３）、カメラ映像１４ｂと同一又は類似したパターンが無いと判断した場合（ステップＳ３／Ｎｏ）はステップＳ７へ進み、カメラ映像１４ｂと同一又は類似したパターンがあると判断した場合（ステップＳ３／Ｙｅｓ）、カメラ映像１４ｂと同一又は類似したパターンの座標・サイズ情報を取得する（ステップＳ４）。
サーバ装置１１は、座標・サイズを示す情報をクライアント端末１３に送信する（ステップＳ５）。
サーバ装置１１は、ステップＳ３で検出されたデスクトップ画面上のパターンマッチングでマッチングされた領域（座標・サイズを示す情報はステップＳ４にて取得されている）を、例えば黒塗り黒画面にしてクライアント端末１３に送信する（ステップＳ６）。なお、上述したとおり黒画面でなくても良い。
サーバ装置１１は、デスクトップ画面に更新領域が発生すれば、変化した領域分クライアント端末１３送信し（ステップＳ７）、遠隔操作中はステップＳ１〜Ｓ７を繰り返す（ステップＳ８）。
【００２４】
一方、クライアント端末１３は、サーバ装置１１からの情報を受信すると（ステップＳ１１）、サーバ装置１１から送信されたデスクトップ画面を表示する（ステップＳ１２）。
クライアント端末１３は、座標情報があるか否かを判断し（ステップＳ１３）、座標情報がないと判断すると（ステップＳ１３／Ｎｏ）、ステップＳ１５へ進み、座標情報があると判断すると（ステップＳ１３／Ｙｅｓ）、該当箇所にカメラで撮影された画像（映像）を表示する（ステップＳ１４）。
遠隔操作中はステップＳ１１〜Ｓ１４を繰り返す（ステップＳ１５）。
すなわち、本実施形態の画像データ伝送システムは、画像データを削除するのではなく、更新領域が発生しないようにすることで差分が検出されないようになり、結果的にカメラで撮影したカメラ映像の領域がサーバ装置１１からクライアント端末１３に伝送されないのである。
【００２５】
遠隔操作自体を停止したら、サーバ装置１１・クライアント端末１３ともに動作を停止する。
【００２６】
＜プログラム＞
以上で説明した本発明にかかる画像データ伝送システムは、コンピュータで処理を実行させるプログラムによって実現されている。コンピュータとしては、例えばパーソナルコンピュータやワークステーションなどの汎用的なものが挙げられるが、本発明はこれに限定されるものではない。よって、一例として、プログラムにより本発明を実現する場合の説明を以下で行う。
【００２７】
例えば、
ネットワークに接続されたサーバ装置と、撮影装置を有し、前記サーバ装置を、前記ネットワークを介して遠隔操作するクライアント端末と、を備え、前記サーバ装置と前記クライアント端末との間で画像データを伝送する画像データ伝送システムに用いられるサーバ装置に、
更新領域検出手段が、サーバ装置自身の表示するデスクトップ画面の中で変更された領域を更新領域として検出する手順、
認識手段が、サーバ装置自身のデスクトップ画面の中から前記撮影装置からの画像データと同一または類似した画像データのパターンを認識する手順、
第１の伝送手段が、前記クライアント端末に前記更新領域検出手段によって検出された更新領域の画像データを伝送する手順、
第２の伝送手段が、前記認識手段によって認識されたパターンを含む領域は非更新領域とみなし、該領域が非更新領域であることを示す情報をクライアント端末に伝送する手順、
を実行させるサーバ装置の制御プログラムが挙げられる。
【００２８】
これにより、プログラムが実行可能なコンピュータ環境さえあれば、どこにおいても本発明にかかる画像データ伝送システムを実現することができる。
このようなプログラムは、コンピュータに読み取り可能な記憶媒体に記憶されていてもよい。
【００２９】
＜記憶媒体＞
ここで、記憶媒体としては、例えば、ＣＤ−ＲＯＭ（Compact Disc Read Only Memory）、フレキシブルディスク（ＦＤ）、ＣＤ−Ｒ（CD Recordable）などのコンピュータで読み取り可能な記憶媒体、フラッシュメモリ、ＲＡＭ（Random Access Memory）、ＲＯＭ（Read Only Memory）、ＦｅＲＡＭ（強誘電体メモリ）等の半導体メモリやＨＤＤ（Hard Disc Drive）が挙げられる。
【００３０】
なお、上述した実施の形態は、本発明の好適な実施の形態の一例を示すものであり、本発明はそれに限定されることなく、その要旨を逸脱しない範囲内において、種々変形実施が可能である。
【符号の説明】
【００３１】
１１    サーバ装置
１２    ネットワーク
１３    クライアント端末
１４    画像照合手段
１４ａ、１４ｂ    カメラ映像
１４ｃ    黒画面
１５    画像表示手段
１６    別ＰＣ
１７    カメラ
１８    被写体
【図１】
2012074999.tif 000003
【図２】
2012074999.tif 000004
【図３】
2012074999.tif 000005
【図４】
2012074999.tif 000006